(57)【要約】      （修正有）【課題】必要に応じてゴルフ帽子から簡単に取り外すことができ、かつ、ゴルフスイング時にレーザ光をボールに正確に当たるように調節可能なゴルフスイング補正具を提供する。【解決手段】ゴルフキャップ５の鍔６に着脱自在に装着可能なホルダ１１と、このホルダ１１に取り付け姿勢調節可能に保持されるレーザポインタ２１（レーザ光発射装置）とから構成する。かかる構成により、レーザポインタ２１はホルダ１１を介してゴルフキャップ５に着脱自在に装着可能であるので、必要に応じてゴルフキャップ５から簡単に取り外すことができる。また、レーザポインタ２１を角度等調節してゴルフスイング時にレーザ光ＬをボールＢに正確に当てることができる。【選択図】図１
0003122612.tif 000002
【実用新案登録請求の範囲】
【請求項１】
ゴルフ帽子の所定部位に着脱自在に装着可能なホルダと、このホルダに取り付け姿勢調節可能に保持されるレーザ光発射装置とから成るゴルフスイング補正具。
【考案の詳細な説明】
【技術分野】
【０００１】
本考案は、ゴルフスイング時のゴルファの頭部の動きを補正するのに役立つゴルフスイング補正具に関する。
【背景技術】
【０００２】
ゴルフスイングに関しては、ゴルフボール（以下、単に「ボール」と称する。）への打撃前のアドレス位置から打撃後のフォロースルーまでの間、ゴルファはボールから目を離さない姿勢を保持することが重要であるといわれている。
【０００３】
そのため、ゴルフスイング時のゴルファの頭部のブレを補正するのに役立つゴルフスイング補正具が従来から提案されている（例えば、特許文献１参照）。
【０００４】
特許文献１に係るゴルフスイング補正具は、ゴルフキャップの鍔部の上面にレーザ光発射装置を固定したものである。ゴルフスイングする際は、レーザ光発射装置からレーザ光を発射させてボールにレーザ光を当て、その状態を保持した状態（すなわちゴルファの頭部が動かない状態）でゴルフクラブをボール目がけて振り下ろすようにすれば、ヘッドアップ等せずに理想的なスイングが可能になるとされている。
【特許文献１】登録実用新案第３０１１７４５号公報
【考案の開示】
【考案が解決しようとする課題】
【０００５】
しかし、上記したゴルフスイング補正具では、ゴルフキャップの鍔部にレーザ光発射装置が固定されているため、当該ゴルフキャップをゴルフをするとき以外で着用しようとした場合（例えば、散歩）にレーザ光発射装置が邪魔になる。
【０００６】
また、ゴルファの身体の大小やスイングの癖等に応じてボールからゴルファの頭部（眼）までの距離や角度は異なるが、かかる個人差を補正できずゴルフスイング時にレーザ光をボールに正確に当てることができない事態が生じることがある。
【０００７】
本考案の目的は、必要に応じてゴルフ帽子から簡単に取り外すことができ、かつ、ゴルフスイング時にレーザ光をボールに正確に当たるように調節可能なゴルフスイング補正具を提供することにある。
【課題を解決するための手段】
【０００８】
上記目的を達成するために、請求項１の考案は、ゴルフ帽子の所定部位に着脱自在に装着可能なホルダと、このホルダに取り付け姿勢調節可能に保持されるレーザ光発射装置とから成るゴルフスイング補正具である。
【０００９】
上記請求項１の考案の場合、レーザ光発射装置はホルダを介してゴルフ帽子に着脱自在に装着されているので、必要に応じてゴルフ帽子から簡単に取り外すことができる。また、レーザ光発射装置を既存のゴルフ帽子にも簡単に装着でき、帽子ファッションを楽しめる。また、レーザ光発射装置は、取り付け姿勢調節可能であるので、ゴルファの身体の大小やスイングの癖等に応じて当該装置を角度等調節してゴルフスイング時にレーザ光をボールに正確に当てることができる。
【考案の効果】
【００１０】
請求項１の考案によれば、ゴルフ帽子の所定部位に着脱自在に装着可能なホルダと、このホルダに取り付け姿勢調節可能に保持されるレーザ光発射装置とから成るので、必要に応じてゴルフ帽子から簡単に取り外すことができる。また、自由に帽子ファッションを楽しめる。また、レーザ光発射装置を角度等調節してゴルフスイング時にレーザ光をボールに正確に当てることができる。
【考案を実施するための最良の形態】
【００１１】
本考案の最良の実施形態を図面に基づき説明する。
【００１２】
本考案に係るゴルフスイング補正具１０は、図１に示すように、ゴルフ帽子（５）の所定部位（６）に着脱自在に装着可能なホルダ１１と、このホルダ１１に取り付け姿勢調節可能に保持されるレーザ光発射装置（２１）とから構成されている。
【００１３】
この実施形態では、ゴルフ帽子としてゴルフキャップ５が選定されている。なお、ゴルフ帽子としてサンバイザーも選定可能である。この実施例では、ホルダ１１は、ゴルフキャップ５の鍔６に着脱自在に装着可能とされている。
【００１４】
また、レーザ光発射装置としてレーザポインタ２１が選定されている。この実施例では、レーザポインタ２１は、市販のペンタイプのものを使用するものとしている。レーザポインタ２１は、前方の端部２１ａからレーザ光を発射するものとされている。
【００１５】
上記したレーザポインタ２１は、ホルダ１１を介してゴルフキャップ５の鍔６の下面に左右方向角度調節可能かつ上下方向角度調節可能に保持されている。
【００１６】
より具体的には、ホルダ１１は、ゴルフキャップ５の鍔６に着脱自在に取り付けられるクリップ部１２と、このクリップ部１２に取付けボルト１６を介して接続されたレーザポインタ支持部１４とから構成されている。この実施形態では、クリップ部１２とレーザポインタ支持部１４とは、プラスチック製とされている。金属製としてもよい。
【００１７】
レーザポインタ支持部１４は、角度調節部１５および本体１４を有している。角度調節部１５は、図１に示すように、クリップ部１２に向けて円弧状に出っ張ったアーチ部１５ａを有しており、このアーチ部１５ａには長穴１５ｂが貫通穿設されている。角度調節部１５は、アーチ部１５ａの長穴１５ｂを介してクリップ部１２の当接部１２ａに締め付けられたナット１６によって当該クリップ部１２に係止される。ナット１６として、手動操作に便利なように蝶ナットを使用してもよい。
【００１８】
上記したナット１６による角度調節部１５のアーチ部１５ａの長穴１５ｂの締め付け箇所を変えることにより、当該アーチ部１５ａのアーチ形状に従ってレーザポインタ支持部１４の上下方向角度（図３中角度θ１）は変更される。すなわち、角度調節される。また、上記アーチ部１５ａの左右方向角度を変えることにより、レーザポインタ支持部１４の左右方向角度（図４中角度θ２）は変更される（角度調節される）。
【００１９】
また、レーザポインタ支持部１３の本体１４は、図２に示すように、半割り状に形成されており、その弾性復元力でレーザポインタ２１の外周部と密着して当該レーザポインタ２１を支持する構成とされている。
【００２０】
上記構成のゴルフスイング補正具１０の場合、レーザポインタ２１はホルダ１１を介してゴルフキャップ５に着脱自在に装着されているので、必要に応じてゴルフキャップ５から簡単に取り外すことができる。
【００２１】
また、レーザポインタ２１を既存のゴルフ帽子にも簡単に装着でき、帽子ファッションを楽しめる。また、レーザポインタ２１は、上記したように取り付け姿勢調節可能（角度θ１，θ２調節可能）であるので、図５に示すように、ゴルファＰの身体の大小やスイングの癖等に応じて当該ポインタ２１を取り付け姿勢調節してゴルフスイング時にレーザ光ＬをボールＢに正確に当てることができる。なお、図５において、ＨはゴルファＰの頭部である。また、Ｃはゴルフクラブ、ＬＰはボールＢに照射されたレーザポイントである。
【図面の簡単な説明】
【００２２】
【図１】本考案に係るゴルフスイング補正具の実施形態を説明するための図である。
【図２】本ゴルフスイング補正具の側面図である。
【図３】本ゴルフスイング補正具の上下方向の角度調節を説明するための図である。
【図４】本ゴルフスイング補正具の左右方向の角度調節を説明するための図である。
【図５】本ゴルフスイング補正具の使用状況を説明するための図である。
【符号の説明】
【００２３】
１０  ゴルフスイング補正具
１１  ホルダ
１２  クリップ部
１３  レーザポインタ支持部
１４  本体
１５  角度調節部
１５ａ  アーチ部
２１  レーザポインタ（レーザ光発射装置）
【図１】
0003122612.tif 000003
【図２】
0003122612.tif 000004
【図３】
0003122612.tif 000005
【図４】
0003122612.tif 000006
【図５】
0003122612.tif 000007